(57)【要約】【課題】前席乗員が見たい後席の画像情報を追加の操作をすることなく、より少ない操作回数で提供する。【解決手段】本発明の車両用情報提供装置１は、自車両の後席の状況に基づいて車室内カメラ２１で撮像された後席の画像情報の表示モードを設定する表示モード設定部２と、後席の画像情報を表示するためのトリガーを検出する表示切替部３と、トリガーが検出されると、表示モード設定部２によって設定されている表示モードで後席の画像情報を表示する情報表示部４と、自車両の乗員による操作に応じて後席の画像情報の表示モードを変更する表示モード変更部５とを備える。【選択図】図１
2014051113.tif 000002
【特許請求の範囲】
【請求項１】
自車両の車室内を撮像する撮像手段の映像を画像情報として提供する車両用情報提供装置であって、
自車両の後席の状況に基づいて、前記撮像手段で撮像された後席の画像情報の表示モードを設定する表示モード設定部と、
前記後席の画像情報を表示するためのトリガーを検出する表示切替部と、
前記表示切替部によってトリガーが検出されると、前記表示モード設定部によって設定されている表示モードで前記後席の画像情報を表示する情報表示部と
を備えることを特徴とする車両用情報提供装置。
【請求項２】
前記表示モード設定部は、開閉操作があった後席ドアに対応する座席を優先表示するように表示モードを設定することを特徴とする請求項１に記載の車両用情報提供装置。
【請求項３】
自車両の後席に設置されたチャイルドシートの有無を検出するチャイルドシート検出部をさらに備え、
前記表示モード設定部は、前記チャイルドシート検出部によってチャイルドシートが検出された座席を優先表示するように表示モードを設定することを特徴とする請求項１または２に記載の車両用情報提供装置。
【請求項４】
前記表示モード設定部は、前記開閉操作があった後席ドアに対応する座席と、前記チャイルドシートが検出された座席とが異なる場合には、自車両の後席全体を表示する広域表示モードを設定することを特徴とする請求項３に記載の車両用情報提供装置。
【請求項５】
前記チャイルドシート検出部は、前記撮像手段で撮像された映像の後席領域を分割して比較することによってチャイルドシートの有無を検出することを特徴とする請求項３または４に記載の車両用情報提供装置。
【請求項６】
前記撮像手段で撮像された映像に基づいて、自車両の後席に乗車する乗員の有無を検出する後席乗員検出部をさらに備え、
前記表示モード設定部は、前記後席乗員検出部によって乗員が検出された座席を優先表示するように表示モードを設定することを特徴とする請求項１に記載の車両用情報提供装置。
【請求項７】
自車両の乗員による操作に応じて、前記情報表示部によって表示されている前記後席の画像情報の表示モードを変更する表示モード変更部をさらに備えたことを特徴とする請求項１〜６のいずれか１項に記載の車両用情報提供装置。
【請求項８】
自車両の車室内を撮像する撮像手段の映像を画像情報として提供する車両用情報提供装置における車両用情報提供方法であって、
自車両の後席の状況に基づいて、前記撮像手段で撮像された後席の画像情報の表示モードを設定し、
前記後席の画像情報を表示するためのトリガーを検出し、
前記トリガーが検出されると、設定されている表示モードで前記後席の画像情報を表示する
ことを特徴とする車両用情報提供方法。
【発明の詳細な説明】
【技術分野】
【０００１】
本発明は、自車両の後席を撮像した映像を画像情報として提供する車両用情報提供装置及びその方法に関する。
【背景技術】
【０００２】
現在、６歳未満の子供を車に乗せる場合にはチャイルドシートの着用が義務化されており、また安全のためにチャイルドシートは後席に設置することが望ましい。車両運転中に後席のチャイルドシートに座っている子供がぐずったり泣いたりした場合、前席から後席の様子を確認するための技術として、特許文献１が開示されている。
【０００３】
この特許文献１に開示された車載用映像表示装置では、後席乗員（子供）を撮影する後席用映像カメラと、前席乗員（例えば親）の見える位置に配置されて後席用映像カメラで撮影した映像を表示する前席用ディスプレイとが設置されている。これにより、前席乗員は車両運転中に後席乗員である子供の状態を確認することができる。
【先行技術文献】
【特許文献】
【０００４】
【特許文献１】特開２００３−０２５９１１号公報
【発明の概要】
【発明が解決しようとする課題】
【０００５】
しかしながら、上述した従来の車載用映像表示装置では、後席用映像カメラで撮影した映像を前席用ディスプレイに映す際に、常に同じ領域を表示しているので、後席乗員である子供の着座位置によっては追加の操作が必要になってしまうという問題点があった。
【０００６】
そこで、本発明は、上述した実情に鑑みて提案されたものであり、前席乗員が見たい後席の画像情報を追加の操作がなく、より少ない操作回数で提供することのできる車両用情報提供装置及び車両用情報提供方法を提供することを目的とする。
【課題を解決するための手段】
【０００７】
本発明は、自車両の後席を撮像する撮像手段の映像を画像情報として提供するものであり、自車両の後席の状況に基づいて撮像手段で撮像された後席の画像情報の表示モードを設定し、後席の画像情報を表示するためのトリガーを検出する。そして、トリガーが検出されると、設定されている表示モードで後席の画像情報を表示することにより上述した課題を解決する。
【発明の効果】
【０００８】
本発明によれば、自車両の後席の状況に基づいて後席の画像情報の表示モードを設定するので、前席乗員が見たい後席の画像情報を、追加の操作をすることなく、より少ない操作回数で提供することができる。
【図面の簡単な説明】
【０００９】
【図１】図１は、本発明の第１実施形態に係る車両用情報提供装置の構成を示すブロック図である。
【図２】図２は、本発明の第１実施形態に係る車両用情報提供装置の車室内カメラの配置を示す図である。
【図３】図３は、本発明の第１実施形態に係る車両用情報提供装置の車室内カメラによって撮像された映像の一例を示す図である。
【図４】図４は、本発明の第１実施形態に係る車両用情報提供装置による情報提供処理の処理手順を示すフローチャートである。
【図５】図５は、本発明の第１実施形態に係る車両用情報提供装置の表示モードの判定基準を示す図である。
【図６】図６は、本発明の第１実施形態に係る車両用情報提供装置のディスプレイに表示される画像情報の一例を示す図である。
【図７】図７は、本発明の第２実施形態に係る車両用情報提供装置の構成を示すブロック図である。
【図８】図８は、本発明の第２実施形態に係る車両用情報提供装置によるチャイルドシートの有無を検出する方法を説明するための図である。
【図９】図９は、本発明の第２実施形態に係る車両用情報提供装置の表示モードの判定基準を示す図である。
【図１０】図１０は、本発明の第３実施形態に係る車両用情報提供装置の構成を示すブロック図である。
【発明を実施するための形態】
【００１０】
以下、本発明を適用した第１〜第３実施形態について図面を参照して説明する。
【００１１】
［第１実施形態］
［車両用情報提供装置の構成］
図１は本実施形態に係る車両用情報提供装置の構成を示すブロック図である。図１に示すように、本実施形態に係る車両用情報提供装置１は、自車両の後席の状況に基づいて後席の画像情報の表示モードを設定する表示モード設定部２と、後席の画像情報を表示するためのトリガーを検出する表示切替部３と、表示モード設定部２によって設定されている表示モードで後席の画像情報を表示する情報表示部４と、自車両の乗員による操作に応じて後席の画像情報の表示モードを変更する表示モード変更部５とを備えている。
【００１２】
また、本実施形態に係る車両用情報提供装置１には、自車両の後席を撮像した映像を画像情報として出力する車室内カメラ２１と、自車両の後席ドアが開閉されたときに後席ドア開閉信号を出力する後席ドア開閉検知センサ２２と、自車両のドアに設けられたロック部材が開錠されたときに開錠信号を出力する開錠検知センサ２３と、自車両の速度を示す車速信号を出力する車速センサ２４と、乗員の操作に応じて後席の画像情報を表示するためのトリガーを出力するスイッチ２５と、車室内カメラ２１で撮像した車室内の映像を表示するディスプレイ２６とが接続されている。
【００１３】
ここで、車両用情報提供装置１は、マイクロコンピュータ、マイクロプロセッサ、ＣＰＵを含む汎用の電子回路と周辺機器から構成されており、特定のプログラムを実行することにより、上述した表示モード設定部２、表示切替部３、情報表示部４、表示モード変更部５として動作する。
【００１４】
表示モード設定部２は、開錠信号が検出されてから車速が０ｋｍ／ｈでなくなるまでの間に、後席ドア開閉信号により左右いずれかの後席ドアの開閉操作が行われたか否かを判定する。そして、後席ドアの開閉操作の有無に応じて、予め設定されている判定基準を用いて表示モードを設定する。このとき、表示モード設定部２は、開閉操作があった後席ドアに対応する座席を優先表示するように表示モードを設定する。例えば、本実施形態では、開閉操作があった後席ドアに対応する座席を拡大表示する拡大表示モードを設定する。
【００１５】
表示切替部３は、例えばディスプレイ２６に表示された切替ボタンやスイッチ２５等から入力されたトリガーを検出し、ディスプレイ２６に表示されている映像を車室内カメラ２１で撮像した後席の画像情報に切り替える処理を行う。
【００１６】
情報表示部４は、表示切替部３によって後席の画像情報の表示が要求されると、表示モード設定部２によって設定されている表示モード、例えば広域表示モードまたは拡大表示モードのいずれかの表示モードで後席の画像情報を表示する。
【００１７】
表示モード変更部５は、現在表示されている画像情報の表示モードを変更するものであり、現在広域表示モードで表示されている場合には拡大表示モードに変更し、現在拡大表示モードで表示されている場合には広域表示モードに変更する。例えば、ディスプレイ２６のタッチパネル機能を用いて、広域表示モード時には拡大したい場所をタッチすることにより、その位置を中心とした拡大表示モードに変更し、拡大表示モード時には画面をタッチすることにより広域表示モードへと変更する。
【００１８】
車室内カメラ２１は、例えば図２に示すように自車両の車室前方内の天井に設置されており、図３に示すような車室内後方の領域、特に後席の映像を撮像して画像情報として出力する。
【００１９】
スイッチ２５は、乗員が操作することによって後席の画像情報を表示するためのトリガーを出力するものであり、例えばセンタークラスターに設けられている。
【００２０】
ディスプレイ２６は、例えばナビゲーションディスプレイであり、通常の走行中は地図情報等を表示しているが、表示切替部３の要求に応じて後席の画像情報を表示する。また、ナビゲーション画面上に切替ボタンを表示し、この切替ボタンを乗員が操作すると、後席の画像情報を表示するためのトリガーを出力する。
【００２１】
［情報提供処理の手順］
次に、本実施形態に係る車両用情報提供装置１による情報提供処理の手順を図４のフローチャートを参照して説明する。
【００２２】
図４に示すように、まずステップＳ１０１において、表示モード設定部２が表示モードの設定を行う。まず、自車両の開錠時に開錠信号を検出すると、表示モード設定部２は車速信号をモニタする。そして、開錠信号が検出されてから車速が０ｋｍ／ｈでなくなるまでの間、すなわち走行を開始するまでの間に、後席ドア開閉信号により後席ドアの開閉操作が行われたか否かを判定する。この判定結果に基づいて、表示モード設定部２は、図５に示す判定基準を用いて表示モードを設定する。
【００２３】
図５に示すように、判定基準には後席ドアの開閉操作がない場合と、右の開閉操作あり、左の開閉操作あり、左右両方の開閉操作ありの場合がそれぞれ設定されている。後席ドアの開閉操作がない場合と左右両方の開閉操作がある場合には広域表示モードが設定され、右の開閉操作ありの場合には右座席の拡大表示モードが設定され、左の開閉操作ありの場合には左座席の拡大表示モードが設定される。
【００２４】
こうして表示モードが設定されると、次にステップＳ１０２において、表示切替部３が、後席の画像情報を表示するためのトリガーを検出したか否かを判定する。このトリガーは、例えば図６（ａ）に示すようなディスプレイ２６に表示された切替ボタン６１やセンタークラスターに設けられたスイッチ２５によって入力される。そして、トリガーの入力が検出されていない場合には、表示切替部３は継続してトリガーの入力の有無を判定し、トリガーの入力が検出されると、ステップＳ１０３に進む。
【００２５】
次に、ステップＳ１０３に進むと、情報表示部４は、ステップＳ１０１で設定された表示モードを読み出してステップＳ１０４に進み、ステップＳ１０４では読み出した表示モードで後席の画像情報をディスプレイ２６に表示する。例えば、広域表示モードが設定されている場合には、図６（ａ）に示すナビ画面を切り替えて図６（ｂ）に示す広域表示モードの画像情報を表示する。また、拡大表示モードが設定されている場合には図６（ａ）に示すナビ画面を切り替えて図６（ｃ）に示す拡大表示モードの画像情報を表示する。図６（ｃ）では左座席の拡大表示モードを一例として示している。
【００２６】
こうして後席の画像情報が表示されると、次にステップＳ１０５において、情報表示部４は後席の画像情報の表示を終了するか否かを判定する。例えば、図６（ｂ）、（ｃ）に示すようにディスプレイ２６に表示されたナビ画面に戻るボタン６２が押されたか否かによって判定することができる。ここで、乗員による操作がなく、後席の画像情報の表示を終了しない場合にはステップＳ１０６に進んで、表示モード変更部５が、表示モードを変更するための操作があったか否かを判定する。表示モードの変更は、例えばディスプレイ２６のタッチパネル機能を用いて、図６（ｂ）に示すような広域表示モードのときには拡大したい場所をタッチすることによってその位置を中心とした拡大表示モードに変更することができる。一方、図６（ｃ）に示すような拡大表示モードのときには画面をタッチすることによって広域表示モードへ変更することができる。
【００２７】
そして、ステップＳ１０６において、表示モードの変更がない場合にはステップＳ１０４に戻って継続して後席の画像情報を表示する。また、ステップＳ１０６において表示モードの変更がある場合には、ステップＳ１０７に進んで表示モード変更部５が表示モードの変更を行ってからステップＳ１０４に戻って後席の画像情報を表示する。
【００２８】
そして、ステップＳ１０５において、情報表示部４が、図６（ｂ）、（ｃ）に示すナビ画面に戻るためのボタン６２が押される等の処理によって、後席の画像情報の表示を終了させることを判定すると、本実施形態に係る情報提供処理を終了する。
【００２９】
［第１実施形態の効果］
以上詳細に説明したように、本実施形態に係る車両用情報提供装置１によれば、自車両の後席の状況に基づいて後席の画像情報の表示モードを設定するので、前席乗員が見たい後席の画像情報を、追加の操作がなく、より少ない操作回数で提供することができる。
【００３０】
また、本実施形態に係る車両用情報提供装置１によれば、開閉操作があった後席ドアに対応する座席を優先表示するように表示モードを設定するので、乗員や荷物が乗っている可能性の高い座席を優先して表示することができる。
【００３１】
さらに、本実施形態に係る車両用情報提供装置１によれば、自車両の乗員による操作に応じて後席の画像情報の表示モードを変更するので、乗員の要求に応じて乗員が見たい表示モードに変更して表示することができる。
【００３２】
［第２実施形態］
次に、本発明の第２実施形態に係る車両用情報提供装置について図面を参照して説明する。尚、第１実施形態と同一の構成要素には同一の番号を付して詳細な説明は省略する。
【００３３】
［車両用情報提供装置の構成］
図７は本実施形態に係る車両用情報提供装置の構成を示すブロック図である。図７に示すように、本実施形態に係る車両用情報提供装置３１は、自車両の後席に設置されたチャイルドシートの有無を検出するチャイルドシート検出部３２をさらに備えたことが第１実施形態と相違している。
【００３４】
また、本実施形態に係る車両用情報提供装置３１には、自車両の後席におけるシートベルトの装着状態を示すシートベルト信号を検出するシートベルト検知センサ３３がさらに接続されている。
【００３５】
そして、表示モード設定部２は、開錠信号が検出されてから車速が０ｋｍ／ｈでなくなるまでの間に、チャイルドシート検出部３２によってチャイルドシートが検出されたか否かを判定する。そして、チャイルドシートの有無に応じて、予め設定されている判定基準を用いて表示モードを設定する。このとき、表示モード設定部２は、チャイルドシート検出部３２によってチャイルドシートが検出された座席を優先表示するように表示モードを設定する。例えば、本実施形態では、チャイルドシートが検出された座席を拡大表示する拡大表示モードを設定する。尚、第１実施形態で説明した後席ドアの開閉操作による表示モードの設定方法を併用することも可能である。この場合、開閉操作があった後席ドアに対応する座席と、チャイルドシートが検出された座席とが異なる場合には、自車両の後席全体を表示する広域表示モードを設定する。
【００３６】
チャイルドシート検出部３２は、開錠信号が検出された直後に、シートベルト信号に基づいてシートベルトが装着されている座席を検出すると、その座席をチャイルドシートが装着されている座席であると判定する。
【００３７】
また、チャイルドシートの検出方法については、画像分析を用いてもよい。例えば、図８に示すような車室内カメラ２１で撮像した後席映像において、後席左側比較領域４０と後席右側比較領域４１とを設定し、各領域の画像を比較して画像差分によって判定するようにしてもよい。この場合、後席左側比較領域４０と後席右側比較領域４１は、それぞれ車両幅方向のセンターに対して対象な領域として設定され、後席左側比較領域４０の画像と、左右を反転させた後席右側比較領域４１の画像とを差分処理することによって判定する。この差分処理の結果、各領域の違いが大きい場合にはチャイルドシートが存在すると判定し、各領域の違いがほとんどない状態ではチャイルドシートがないと判定する。図８では、比較領域として座席のシートバック位置に比較領域を設定しているが、車室内カメラ２１との位置関係によっては座面に設定してもよい。また、後席に中央の座席がある場合には後席映像を３分割して比較領域を設定し、それぞれの領域の画像を差分処理することによってチャイルドシートの有無を判定する。
【００３８】
［情報提供処理の手順］
次に、本実施形態に係る車両用情報提供装置３１による情報提供処理の手順を説明する。本実施形態の情報提供処理では、図４に示すステップＳ１０１の表示モードを設定する処理だけが相違している。
【００３９】
本実施形態に係る情報提供処理では、ステップＳ１０１において、表示モード設定部２は、自車両の開錠時に開錠信号を検出すると、車速信号をモニタする。そして、開錠信号が検出されてから車速が０ｋｍ／ｈでなくなるまでの間、すなわち走行を開始するまでの間に、チャイルドシート検出部３２からチャイルドシートの有無の判定結果を取得する。この判定結果に基づいて、表示モード設定部２は図９に示す判定基準を用いて表示モードを設定する。
【００４０】
図９に示すように、判定基準にはチャイルドシートがある座席が設定されている。図９において、「なし」はチャイルドシートがいずれの座席にもない場合を示している。「右」は後席の右座席にチャイルドシートがある場合を示しており、「左」は後席の左座席にチャイルドシートがある場合を示している。また、「中」は中央の座席にチャイルドシートがある場合を示している。
【００４１】
さらに、「右中」は後席の右座席と中央の座席に２つチャイルドシートがある場合を示しており、「左中」は後席の左座席と中央の座席に２つチャイルドシートがある場合を示している。「左右」は左右の座席に２つチャイルドシートがある場合を示している。
【００４２】
また、「全部」は、左右と中央のすべての座席に３つチャイルドシートがある場合を示している。
【００４３】
そして、図９に示すように、表示モード設定部２は、チャイルドシートがない場合と全部の座席に３つのチャイルドシートがある場合には広域表示モードを設定する。また、後席に１つチャイルドシートがある場合にはチャイルドシートがある座席を拡大して表示する拡大表示モードを設定する。さらに、後席に２つチャイルドシートがある場合にはチャイルドシートがある２つの座席を拡大して表示する拡大表示モードを設定する。
【００４４】
尚、第１実施形態で説明した後席ドアの開閉操作による表示モードの設定方法を併用する場合には、さらにステップＳ１０１において第１実施形態と同様の処理を実行する。このとき、開閉操作があった後席ドアに対応する座席と、チャイルドシートが検出された座席とが異なる場合には、自車両の後席全体を表示する広域表示モードを設定する。
【００４５】
こうして表示モードが設定されると、この後は図４に示すステップＳ１０２〜１０７の処理を第１実施形態と同様に実行することによって、本実施形態に係る情報提供処理を終了する。
【００４６】
［第２実施形態の効果］
以上詳細に説明したように、本実施形態に係る車両用情報提供装置３１によれば、自車両の後席の状況に基づいて後席の画像情報の表示モードを設定するので、前席乗員が見たい後席の画像情報を、追加の操作がなく、より少ない操作回数で提供することができる。
【００４７】
また、本実施形態に係る車両用情報提供装置３１によれば、チャイルドシートが検出された座席を優先表示するように表示モードを設定するので、子供が乗車している座席の画像情報をより少ない操作回数で優先して提供することができる。
【００４８】
さらに、本実施形態に係る車両用情報提供装置３１によれば、開閉操作があった後席ドアに対応する座席と、チャイルドシートが検出された座席とが異なる場合には、自車両の後席全体を表示する広域表示モードを設定するので、乗員は後席全体の状況を正確に把握することができる。
【００４９】
また、本実施形態に係る車両用情報提供装置３１によれば、車室内カメラ２１で撮像された映像の後席領域を分割して比較することによってチャイルドシートの有無を検出するので、簡単な画像処理によってチャイルドシートの有無を検出することができる。
【００５０】
さらに、本実施形態に係る車両用情報提供装置３１によれば、自車両の乗員による操作に応じて後席の画像情報の表示モードを変更するので、乗員の要求に応じて乗員が見たい表示モードに変更して表示することができる。
【００５１】
［第３実施形態］
次に、本発明の第３実施形態に係る車両用情報提供装置について図面を参照して説明する。尚、第１及び第２実施形態と同一の構成要素には同一の番号を付して詳細な説明は省略する。
【００５２】
［車両用情報提供装置の構成］
図１０は本実施形態に係る車両用情報提供装置の構成を示すブロック図である。図１０に示すように、本実施形態に係る車両用情報提供装置５１では、車室内カメラ２１で撮像された映像に基づいて自車両の後席に乗車する乗員の有無を検出する後席乗員検出部５２をさらに備えたことが第１及び第２実施形態と相違している。
【００５３】
後席乗員検出部５２は、例えば後席に乗員がいないときの画像を基準画像として保持しておき、この基準画像と車室内カメラ２１で撮像された現在の後席の画像とを比較することによって後席毎に乗員の有無を検出する。
【００５４】
また、表示モード設定部２は、開錠信号が検出されてから車速が０ｋｍ／ｈでなくなるまでの間に、後席乗員検出部５２によって乗員が検出されたか否かを判定する。そして、乗員の有無に応じて、予め設定されている判定基準を用いて表示モードを設定する。このとき、表示モード設定部２は、後席乗員検出部５２によって乗員が検出された座席を優先表示するように表示モードを設定する。例えば、本実施形態では、乗員が検出された座席を拡大表示する拡大表示モードを設定する。また、後席の複数の座席で乗員が検出されている場合には、広域表示モードを設定する。
【００５５】
［情報提供処理の手順］
次に、本実施形態に係る車両用情報提供装置５１による情報提供処理の手順を説明する。本実施形態の情報提供処理では、図４に示すステップＳ１０１の表示モードを設定する処理だけが相違している。
【００５６】
本実施形態に係る情報提供処理では、ステップＳ１０１において、表示モード設定部２は、自車両の開錠時に開錠信号を検出すると、車速信号をモニタする。そして、開錠信号が検出されてから車速が０ｋｍ／ｈでなくなるまでの間、すなわち走行を開始するまでの間に、後席乗員検出部５２から乗員の有無の検出結果を取得する。この結果により、表示モード設定部２は、乗員が検出されている場合には乗員が検出された座席を拡大表示する拡大表示モードを設定する。一方、乗員が検出されていない場合や複数の乗員が検出された場合には広域表示モードを設定する。
【００５７】
こうして表示モードが設定されると、この後は図４に示すステップＳ１０２〜１０７の処理を第１実施形態と同様に実行することによって、本実施形態に係る情報提供処理を終了する。
【００５８】
［第３実施形態の効果］
以上詳細に説明したように、本実施形態に係る車両用情報提供装置５１によれば、自車両の後席の状況に基づいて後席の画像情報の表示モードを設定するので、前席乗員が見たい後席の画像情報を、追加の操作がなく、より少ない操作回数で提供することができる。
【００５９】
また、本実施形態に係る車両用情報提供装置５１によれば、車室内カメラ２１で撮像された映像に基づいて自車両の後席に乗車する乗員の有無を検出し、乗員が検出された座席を優先表示するように表示モードを設定するので、乗員がいる座席の画像情報をより少ない操作回数で提供することができる。
【００６０】
さらに、本実施形態に係る車両用情報提供装置５１によれば、自車両の乗員による操作に応じて後席の画像情報の表示モードを変更するので、乗員の要求に応じて乗員が見たい表示モードに変更して表示することができる。
【００６１】
なお、上述の実施形態は本発明の一例である。このため、本発明は、上述の実施形態に限定されることはなく、この実施形態以外の形態であっても、本発明に係る技術的思想を逸脱しない範囲であれば、設計などに応じて種々の変更が可能であることは勿論である。
【００６２】
また、上述した各実施形態で説明した車室内カメラは、特許請求の範囲に記載されている撮像手段に対応する。
【符号の説明】
【００６３】
１、３１、５１  車両用情報提供装置
２  表示モード設定部
３  表示切替部
４  情報表示部
５  表示モード変更部
２１  車室内カメラ
２２  後席ドア開閉検知センサ
２３  開錠検知センサ
２４  車速センサ
２５  スイッチ
２６  ディスプレイ
３２  チャイルドシート検出部
３３  シートベルト信号検知センサ
５２  後席乗員検出部
【図１】
2014051113.tif 000003
【図２】
2014051113.tif 000004
【図３】
2014051113.tif 000005
【図４】
2014051113.tif 000006
【図５】
2014051113.tif 000007
【図６】
2014051113.tif 000008
【図７】
2014051113.tif 000009
【図８】
2014051113.tif 000010
【図９】
2014051113.tif 000011
【図１０】
2014051113.tif 000012